(57)【要約】【課題】  パウダー薬剤を対象とし、噴霧量をほぼ一定量にすることができるパウダー点鼻薬用噴霧容器の提供。【解決手段】  パウダー排出管３を回転させると、パウダー取込部５の切欠部５０がパウダー流入溝２２に符合し、パウダー収容室１０のパウダー薬剤Ｐがパウダー溜穴２１に流入する。パウダー排出管を逆方向に半回転させると、パウダー取込部の閉鎖壁５１がパウダー流入溝に符合し、パウダーの流入が阻止されてパウダー溜穴に定量のパウダー薬剤が溜まる。そして、鼻孔用ノズル３１を鼻孔に挿し込み、送気ポンプ６を指で圧縮させと、パウダー溜穴内に空気が入気し、この入気空気と共にパウダー溜穴内のパウダー薬剤がパウダー排出管を通して鼻孔用ノズルから噴出する。【選択図】  図１
2005270372.tif 000002
【特許請求の範囲】
【請求項１】
内部がパウダー収容室に形成されたパウダー収容管と、
前記パウダー収容管の底部に設けられ、前記パウダー収容室からパウダー流入溝を介してパウダー薬剤を流入させるパウダー溜穴と、
先端に鼻孔用ノズルが設けられ、下端にパウダー取込部が形成され、このパウダー取込部を前記パウダー溜穴内に嵌合させる状態で、前記パウダー収容管の内部に回転可能に挿入されたパウダー排出管と、
内部が空気室に形成され、上端に送気孔が形成され、この送気孔を前記パウダー溜穴の底面に形成した入気孔に連通させる状態で、前記パウダー収容管の下端に連結された送気ポンプを備え、
前記パウダー取込部に切欠部と閉鎖壁が形成され、パウダー排出管の回転により、前記切欠部をパウダー流入溝に符合させた位置でパウダー流入溝とパウダー溜穴を連通させてパウダー収容室からパウダー溜穴にパウダー薬剤を流入させると共に、前記閉鎖壁をパウダー流入溝に符合させた位置でパウダー流入溝とパウダー溜穴との連通を閉鎖してパウダー溜穴に定量のパウダー薬剤を溜めるように形成され、
前記送気ポンプは、常時は拡大状態を維持するように拡縮可能に形成され、拡大状態から縮小状態に圧縮させて送気孔から空気を送出させることで、前記入気孔から前記パウダー溜穴内に空気を入気させ、この入気空気と共にパウダー溜穴内のパウダー薬剤をパウダー排出管を通して鼻孔用ノズルから噴出させるように形成されていることを特徴としたパウダー点鼻薬用噴霧容器。
【発明の詳細な説明】
【技術分野】
【０００１】
本発明は、パウダー薬剤（例えば、風邪薬、鼻炎薬、花粉症薬等）を収容しておき、これを鼻孔内で噴霧させて体内に吸収させるためのパウダー点鼻薬用噴霧容器に関する。
【背景技術】
【０００２】
従来、薬剤は、内服薬、外用薬、注射薬、点鼻薬等、その摂取方法には種々の態があるが、このうち、収容した薬液を鼻孔内で噴霧させ、鼻粘膜を通して体内に吸収させるようにした点鼻薬用噴霧容器が知られている（特許文献１）。
この点鼻薬用噴霧容器は、パウダー薬剤を対象としたものではなく、液体薬剤を対象としたものである。
【０００３】
又、従来、種々の構造の点鼻薬用噴霧容器が提案されているが、これらはいずれも液体薬剤を対象としたものであり、パウダー薬剤を対象としたものは見受けられない。
【特許文献１】特許公開平１１−１１４０６５号公報
【発明の開示】
【発明が解決しようとする課題】
【０００４】
本発明は、パウダー薬剤を対象とし、噴霧量をほぼ一定量にすることができるパウダー点鼻薬用噴霧容器を提供することを課題としている。
【課題を解決するための手段】
【０００５】
上記の課題を解決するために、本発明のパウダー点鼻薬用噴霧容器は、
内部がパウダー収容室に形成されたパウダー収容管と、
前記パウダー収容管の底部に設けられ、前記パウダー収容室からパウダー流入溝を介してパウダー薬剤を流入させるパウダー溜穴と、
先端に鼻孔用ノズルが設けられ、下端にパウダー取込部が形成され、このパウダー取込部を前記パウダー溜穴内に嵌合させる状態で、前記パウダー収容管の内部に回転可能に挿入されたパウダー排出管と、
内部が空気室に形成され、上端に送気孔が形成され、この送気孔を前記パウダー溜穴の底面に形成した入気孔に連通させる状態で、前記パウダー収容管の下端に連結された送気ポンプを備え、
前記パウダー取込部に切欠部と閉鎖壁が形成され、パウダー排出管の回転により、前記切欠部をパウダー流入溝に符合させた位置でパウダー流入溝とパウダー溜穴を連通させてパウダー収容室からパウダー溜穴にパウダー薬剤を流入させると共に、前記閉鎖壁をパウダー流入溝に符合させた位置でパウダー流入溝とパウダー溜穴との連通を閉鎖してパウダー溜穴に定量のパウダー薬剤を溜めるように形成され、
前記送気ポンプは、常時は拡大状態を維持するように拡縮可能に形成され、拡大状態から縮小状態に圧縮させて送気孔から空気を送出させることで、前記入気孔から前記パウダー溜穴内に空気を入気させ、この入気空気と共にパウダー溜穴内のパウダー薬剤をパウダー排出管を通して鼻孔用ノズルから噴出させるように形成されている構成とした。
【発明の効果】
【０００６】
本発明のパウダー点鼻薬用噴霧容器は、パウダー薬剤を対象とし、このパウダー薬剤を鼻孔内に噴霧させることができる。
【０００７】
また、パウダー収容管にパウダー溜穴を設け、パウダー排出管にパウダー取込部を設けたので、パウダー薬剤を定量に計測して、噴霧量をほぼ一定量にすることができる。
【発明を実施するための最良の形態】
【０００８】
以下、本発明の実施の形態を図面に示す実施例により説明する。
図１は本実施例のパウダー点鼻薬用噴霧容器を示す断面図、図２はパウダー点鼻薬用噴霧容器の動作を説明するための部分断面図、図３はパウダー点鼻薬用噴霧容器を示す分解斜視図である。
【０００９】
図において、１はパウダー収容管で、透明なプラスチック管で形成され、その内部がパウダー収容室１０に形成され、このパウダー収容室１０には、パウダー薬剤Ｐが収容されている。
【００１０】
前記パウダー収容管１の底部には計量部材２が嵌合され、この計量部材２には上面が開放し、底面に小孔による入気孔２０が形成されたパウダー溜穴２１が形成されている。
このパウダー溜穴２１の一側面には、パウダー流入溝２２が形成され、このパウダー流入溝２２を介して前記パウダー収容室１０からパウダー溜穴２１にパウダー薬剤Ｐを流入させるようになっている。
【００１１】
前記パウダー収容管１の上端には中栓１１が取り付けられ、この中栓１１を貫通してパウダー排出管３がパウダー収容管１の内部に挿入されている。
前記パウダー排出管３の上端には、前記中栓１１に対して回転可能に設けた先端部材３０が固定され、この先端部材３０の上面に鼻孔用ノズル３１が設けられている。
なお、前記鼻孔用ノズル３１には、衛生面を確保するために、保護キャップ４が着脱可能に取り付けられている。
【００１２】
前記鼻孔用ノズル３１を鼻孔に挿し込むと、鼻水が鼻孔用ノズル３１の内部に侵入し、これがパウダー排出管３に侵入して詰まってしまうことがある。
これに対処するため、パウダー排出管３の先端を先端部材３０の上面から突出させることで、鼻孔用ノズル３１の内部に鼻水溜空間３２を形成させ、この鼻水溜空間３２に鼻水が溜まるようにして、鼻水によるパウダー排出管３の詰まりを防止させるようにしている。
【００１３】
前記先端部材３０には、パウダー収容管１の外面に沿うように延長してストッパ腕３３が設けられている。
このストッパ腕３３の先端には爪体３４が突設され、この爪体３４をパウダー収容管１の外周面に形成した半周溝１２に嵌め込むことで、前記先端部材３０と一体に回転するパウダー排出管３の回転を半回転に規制している。
【００１４】
前記パウダー排出管３の下端にパウダー取込部５が形成され、このパウダー取込部５が前記計量部材２のパウダー溜穴２１内に嵌合されている。
このパウダー取込部５は、パウダー排出管３の下端部の一部を切欠したもので、切欠部５０と閉鎖壁５１が形成されている。
【００１５】
従って、ストッパ腕３３の爪体３４が半周溝１２の一端に係止するまで先端部材３０によりパウダー排出管３を回転させると、パウダー取込部５の切欠部５０がパウダー流入溝２２に符合して、図１のようにパウダー流入溝２２とパウダー溜穴２１が連通し、矢印で示すようにパウダー収容室１０からパウダー溜穴２１にパウダー薬剤Ｐが流入する。
そして、ストッパ腕３３の爪体３４が半周溝１２の他端に係止するまで先端部材３０によりパウダー排出管３を逆方向に半回転させると、パウダー取込部５の閉鎖壁５１がパウダー流入溝２２に符合して、図２のようにパウダー流入溝２２とパウダー溜穴２１との連通が閉鎖し、パウダー薬剤Ｐの流入を阻止しながらパウダー溜穴２１に定量のパウダー薬剤Ｐを溜めることができる。
【００１６】
前記パウダー収容管１の下端には、送気ポンプ６が連結されている。
この送気ポンプ６は、ゴムや弾性プラスチック等で円筒袋状に形成され、その内部が空気室６０に形成され、上端に送気孔６１が形成され、この送気孔６１が前記パウダー溜穴２１の底面に形成した入気孔２０に連通するように形成されている。
この送気ポンプ６は、常時は拡大状態を維持するように拡縮可能に形成され、拡大状態から縮小状態に圧縮させて送気孔６１から空気を送出させることで、前記入気孔２０から前記パウダー溜穴２１内に空気を入気させ、この入気空気と共にパウダー溜穴２１内のパウダー薬剤Ｐをパウダー排出管３を通して鼻孔用ノズル３１から噴出させるように形成されている。
【００１７】
本実施例のパウダー点鼻薬用噴霧容器Ａでは、先端部材３０によってパウダー排出管３を回転させると、パウダー取込部５の切欠部５０がパウダー流入溝２２に符合し、パウダー収容室１０内のパウダー薬剤Ｐがパウダー溜穴２１に流入する。
次に、パウダー排出管３を逆方向に半回転させると、パウダー取込部５の閉鎖壁５１がパウダー流入溝２２に符合し、パウダー薬剤Ｐの流入が阻止されてパウダー溜穴２１に定量のパウダー薬剤Ｐが溜まる。
【００１８】
この状態で、保護キャップ４を外し、鼻孔用ノズル３１を鼻孔に挿し込み、送気ポンプ６を指で圧縮させる。
この圧縮により、送気孔６１から空気が送出して、前記入気孔２０からパウダー溜穴２１内に空気が入気し、この入気空気と共にパウダー溜穴２１内のパウダー薬剤Ｐがパウダー排出管３を通して鼻孔用ノズル３１から噴出する。
このようにして、パウダー薬剤Ｐを噴霧させた後、指を緩めて送気ポンプ６の圧縮を開放させると、送気ポンプ６が拡大状態に復帰する。そして、最後に鼻孔用ノズル３１に保護キャップ４を嵌めて、パウダー点鼻薬用噴霧容器Ａの使用を終了させる。
【図面の簡単な説明】
【００１９】
【図１】本実施例のパウダー点鼻薬用噴霧容器を示す断面図である。
【図２】パウダー点鼻薬用噴霧容器の動作を説明するための部分断面図である。
【図３】パウダー点鼻薬用噴霧容器を示す分解斜視図である。
【符号の説明】
【００２０】
１  パウダー収容管
１０  パウダー収容室
１１  中栓
１２  半周溝
２  計量部材
２０  入気孔
２１  パウダー溜穴
２２  パウダー流入溝
３  パウダー排出管
３０  先端部材
３１  鼻孔用ノズル
３２  鼻水溜空間
３３  ストッパ腕
３４  爪体
４  保護キャップ
５  パウダー取込部
５０  切欠部
５１  閉鎖壁
６  送気ポンプ
６０  空気室
６１  送気孔
Ａ  パウダー点鼻薬用噴霧容器
Ｐ  パウダー薬剤
【図１】
2005270372.tif 000003
【図２】
2005270372.tif 000004
【図３】
2005270372.tif 000005